(57)【要約】【課題】別部品を使わず、太さの異なるリード線束を挟持可能な構造を提供すること。【解決手段】樹脂ケース１と樹脂カバー２で箱状に構成され、内部に行程を制御する制御手段や各種部品などを有する制御ユニット１５は、外表面に、一対の対称形状なリブ７ａ、７ｂでその間に溝部８を形成したリード線保持部７を複数箇所形成し、溝部８は、複数種類の大きさのリード線束を挟持可能に、その幅を段階的に変えて形成した構成とすることにより、例えば開発機種の違いで、リード線束の太さが複数種類あるような場合でも、別部品を必要とせず、組立作業者の間違いもないリード線保持構造を実現することができる。【選択図】図３
2018038446.tif 000002
【特許請求の範囲】
【請求項１】
洗濯機本体と、前記洗濯機本体の内部に配設され、内部に行程を制御する制御手段や各種配線部品などを有する制御ユニットとを備え、前記制御ユニットは、外表面に、一対のリブを形成し、前記リブ間の隙間を前記リブの開放端側から前記リブの根元になるに従って漸次幅狭に形成してリード線保持部を形成した洗濯機。
【請求項２】
前記リブ間の隙間を段階的に幅狭に形成してリード線保持部を複数個所形成した請求項１に記載の洗濯機。
【発明の詳細な説明】
【技術分野】
【０００１】
本発明は、洗い、すすぎ、脱水行程などを行なう洗濯機に関するものである。
【背景技術】
【０００２】
従来、この種の洗濯機において、リード線の配線処理を行なうにあたり、作業性向上と安全性を確保するために、リード線を適確に保持する構成が提案されている（例えば、特許文献１参照）。
【０００３】
図４は、従来の洗濯機のユニットケース構造の断面図、図５は、同洗濯機のユニットケースの底面図、図６は、同洗濯機の保持体の取り付け構造を示す分解斜視図である。
【０００４】
図４、図５、図６において、トップカバー３２の前方部に凹部３５が形成され、凹部３５内に回路ユニットケース３６が収容され、回路ユニットケース３６の上方を操作パネル３４により覆っている。
【０００５】
ユニットケース３６は、上方開放の箱型に形成され、内部に制御基板３７が収容され、制御基板３７は、防湿用モールド材３８で覆われている。
【０００６】
ユニットケース３６の裏面部は、リード線４１、４２、コネクタ４３等の配線部品と電子パーツ等の部品４６を配置する備品配設部５０として構成しており、備品配設部５０には、配線備品および部品を保持する保持体４４、４５、４７が取り外し可能に装着されている。
【０００７】
これらの保持体４４、４５、４７は、コネクタ４３、リード線４２等の配線備品の形状や電子パーツ等の部品４６の形状に応じて種々の形状を採用することができる。また、保持体４４、４５、４７は、備品配設部５０に取り外し可能に装着される基部５１と、基部５１に一体成形され、配線備品のリード線４１、４２、コネクタ４３等を内包して、その一部を係止可能な保持体フック５２とを備え、これらが一体的に形成されている。
【先行技術文献】
【特許文献】
【０００８】
【特許文献１】特開２００４−３２７７００号公報
【発明の概要】
【発明が解決しようとする課題】
【０００９】
しかしながら、前記従来の構成では、リード線の束ね本数の違いなど形状の異なる部品に対して複数種類の保持体フックが必要になり、製造原価がアップしてしまうとともに、作業者の間違いによる組立不良を発生させる虞があるという課題があった。
【００１０】
本発明は、上記従来の課題を解決するもので、リード線束の太さが複数種類あるような場合でも、複数種類の保持体フックを必要とせず、組立作業者の間違いを低減できるリード線保持構造を備えた洗濯機を提供することを目的としている。
【課題を解決するための手段】
【００１１】
前記従来の課題を解決するために、本発明の洗濯機は、洗濯機本体と、前記洗濯機本体の内部に配設され、内部に行程を制御する制御手段や各種配線部品などを有する制御ユニットとを備え、前記制御ユニットは、外表面に一対のリブを形成し、前記リブ間の隙間を
前記リブの開放端側から前記リブの根元になるに従って漸次幅狭に形成してリード線保持部を形成したものである。
【００１２】
これにより、例えば開発機種の違いで、リード線束の太さが複数種類あるような場合でも、複数種類の保持体フックを必要とせず、組立作業者の間違いを抑制できるリード線保持構造を実現することができる。
【発明の効果】
【００１３】
本発明の洗濯機は、例えば開発機種の違いで、リード線束の太さが複数種類あるような場合でも、複数種類の保持体フックを必要とせず、組立作業者の間違いを抑制できるリード線保持構造を実現することができる。
【図面の簡単な説明】
【００１４】
【図１】本発明の実施の形態における洗濯機の縦断面図
【図２】同洗濯機の制御ユニットの外観斜視図
【図３】同洗濯機の制御ユニットの断面図
【図４】従来の洗濯機のユニットケース構造の断面図
【図５】同洗濯機のユニットケースの底面図
【図６】同洗濯機の保持体の取り付け構造を示す分解斜視図
【発明を実施するための形態】
【００１５】
第１の発明は、洗濯機本体と、前記洗濯機本体の内部に配設され、内部に行程を制御する制御手段や各種配線部品などを有する制御ユニットとを備え、前記制御ユニットは、外表面に、一対のリブを形成し、前記リブ間の隙間を前記リブの開放端側から前記リブの根元になるに従って漸次幅狭に形成してリード線保持部を形成したものである。
【００１６】
これにより、例えば開発機種の違いで、リード線束の太さが複数種類あるような場合でも、別部品を必要とせず、組立作業者の間違いも抑制できるリード線保持構造を実現することができる。
【００１７】
第２の発明は、第１の発明の前記リブ間の隙間を段階的に幅狭に形成してリード線保持部を複数個所形成したものである。
【００１８】
これにより、簡単な構成で、複数種類のリード線束を保持することができる。
【００１９】
以下、本発明の実施の形態について、図面を参照しながら説明する。なお、この実施の形態によって本発明が限定されるものではない。
【００２０】
（実施の形態１）
図１は、本発明の実施の形態における洗濯機の縦断面図である。
【００２１】
図１において、水槽ユニット１２は、水槽２３に有底円筒状に形成された回転ドラム２４を回転自在に内包し、回転ドラム２４の底部となる背面側に向けて軸方向が水平または水平方向から下向き傾斜となるようにした回転軸２５を水槽２３背面に設けられた軸受２６で軸支すると共に、回転軸２５に回転ドラム２４駆動用のモータ２７を連結して構成されている。
【００２２】
水槽ユニット１２は、上述のように、回転ドラム２４、水槽２３、モータ２７等で構成される振動系であり、軸心を洗濯機本体１１内に傾斜して配設され、洗濯機本体１１の基底部１８と水槽２３下面部に設けられた支持板１９との間に取り付けられた防振ダンパー
２０により支持され、更に、水槽２３の上部に固定された上部支持金具２１と洗濯機本体１１の上面との間に設けた防振バネ２２で揺動自在に弾性的に防振支持されている。
【００２３】
また、回転ドラム２４の前部周縁部には、振動低減用で、内部に流体が封入された密閉円環状の流体バランサー１３が配設されている。
【００２４】
洗濯機本体１１の前面部傾斜面には、扉体１４を開閉自在に軸支しており、使用者は扉体１４を開放することにより回転ドラム２４内に洗濯衣類を投入する。
【００２５】
また、洗濯機本体１１の内方下面部に制御ユニット１５が配設され、制御ユニット１５は、洗い、すすぎ、脱水等の一連の行程を制御する制御手段（図示せず）などを備えており、扉体１４の上方に配した操作表示部１６の入力設定手段（図示せず）および表示手段（図示せず）などと信号伝達を行うと共に、モータ２７の回転制御などを行う。
【００２６】
図２は、本発明の実施の形態における洗濯機の制御ユニットの外観斜視図、図３は、同洗濯機の制御ユニットの断面図である。
【００２７】
図２、図３において、制御ユニット１５は、樹脂ケース１、樹脂カバー２の内部に、制御手段（図示せず）、制御基板５や各種の電子部品６など、各種の部品が収納されおり、部品からは配線部品であるリード線束３、４が配線されている。
【００２８】
樹脂ケース１の外表面には、一対の対称形状なリブ７ａ、７ｂからなるリード線保持部７が複数箇所形成されており、リード線保持部７によりリード線を配線保持する。
【００２９】
リード線保持部７には、リブ７ａ、７ｂ間に、リブ７ａ、７ｂの遊端側からリブ７ａ、７ｂの付根に向かって漸次幅狭になる溝部８が形成されている。溝部８は、リブ７ａ、７ｂ間の間隔をリブ７ａ、７ｂの付根側に向かって狭くなるように段階的に変化させて、本実施の形態では３段階に変化させて形成している。
【００３０】
これにより、本実施の形態のリード線保持部７には、一番小さいリード線束４を挟持可能な下溝部８ａ、中くらいの大きさのリード線束３を挟持可能な中溝部８ｂ、最も大きなリード線束を挟持可能な上溝部８ｃを、リブ７ａ、７ｂの幅を段階的に変えて形成されている。
【００３１】
つまり、一つのリード線保持部７において、太さの異なる複数のリード線束を、挟持する位置を変えることによって、保持することができるようになっている。
【００３２】
なお、本実施の形態では、リード線保持部７の溝部８の幅を３段階の例で示したが、何段階であっても良い。また、制御ユニットのリード線保持構造について述べたが、制御ユニットに限らず、リード線を配線している部品であればよい。
【００３３】
また、本実施の形態では、ドラム式洗濯機を例にとり説明したが、縦型洗濯機に採用してもよい。また、リード線保持部７は、制御ユニット１５に設けているが、リード線を保持することが必要なその他の樹脂部品に設けてもよい。
【００３４】
以上のように、本実施の形態においては、樹脂ケース１と樹脂カバー２で箱状に構成され、内部に行程を制御する制御手段や各種部品などを有する制御ユニット１５は、外表面に、一対の対称形状なリブ７ａ、７ｂでその間に溝部８を形成したリード線保持部７を複数箇所形成し、溝部８は、複数種類の大きさのリード線束を挟持可能に、その幅を段階的に変えて形成した構成とすることにより、例えば開発機種の違いで、リード線束の太さが
複数種類あるような場合でも、別部品を必要とせず、組立作業者の間違いも抑制できるリード線保持構造を実現することができる。
【産業上の利用可能性】
【００３５】
以上のように、本発明にかかる洗濯機は、例えば、開発機種の違いで、リード線束の太さが複数種類あるような場合でも、別部品を必要とせず、組立作業者の間違いもないリード線保持構造を実現することが可能となるので、他の洗濯機を始めとする電気機器の用途に適用できる。
【符号の説明】
【００３６】
１  樹脂ケース
２  樹脂カバー
３  リード線束
４  リード線束
７  リード線保持部
７ａ  リブ
７ｂ  リブ
８  溝部
１２  水槽ユニット
１５  制御ユニット
２３  水槽
２４  回転ドラム
２７  モータ
【図１】
2018038446.tif 000003
【図２】
2018038446.tif 000004
【図３】
2018038446.tif 000005
【図４】
2018038446.tif 000006
【図５】
2018038446.tif 000007
【図６】
2018038446.tif 000008